(57)【要約】      （修正有）【課題】単一の水素水装置でユーザの要求を満足させる異なる電解水を生成することが可能な多重モードを有する水素水装置を提供する。【解決手段】水素水装置１０は、処理ユニット１１と、処理ユニット１１に電気的に接続され、水を電解反応して水素と酸素を発生させる複数の電解ユニット１２と、処理ユニット１１に電気的に接続され、電解ユニット１２が必要な電力を供給する電力供給ユニット１３と、電解ユニット１２の一端に接続され、電解ユニット１２に水を流入させる取水口と、電解ユニット１２の他端に接続され、水素または酸素を含有する水を流出させる吐水口と、処理ユニット１１に電気的に接続されている制御ユニット１４であって、ユーザが、制御ユニット１４で処理ユニット１１に制御信号を送信し、処理ユニット１１が制御信号によって電解ユニット１２の作動を制御し、ユーザの要求に応じてその求めに合う電解水を生成するように構成された。【選択図】図１
0003205935.tif 000002
【実用新案登録請求の範囲】
【請求項１】
処理ユニットと、
前記処理ユニットに電気的に接続され、水を電解反応して水素と酸素を発生させる複数の電解ユニットと、
前記処理ユニットに電気的に接続され、前記電解ユニットが必要な電力を供給する電力供給ユニットと、
前記電解ユニットの一端に接続され、前記電解ユニットに水を流入させる取水口と、
前記電解ユニットの他端に接続され、水素または酸素を含有する水を流出させる吐水口と、
前記処理ユニットに電気的に接続されている制御ユニットであって、ユーザが、前記制御ユニットで前記処理ユニットに制御信号を送信し、前記処理ユニットが前記制御信号によって前記電解ユニットの作動を制御するように構成された制御ユニットと、を含む、
多重モードを有する水素水装置。
【請求項２】
前記電力供給ユニットが切り替えスイッチにさらに接続され、前記制御ユニットが前記切り替えスイッチを制御することによって、ＡＣ／ＤＣ給電モード間の切り替えを行うことを特徴とする請求項１に記載の多重モードを有する水素水装置。
【請求項３】
前記電解ユニットが、さらに、第１の電解ユニットと第２の電解ユニットとを含み、前記第１の電解ユニットは薄膜式の電解ユニットで、前記第２の電解ユニットは電極式の電解ユニットであることを特徴とする請求項１に記載の多重モードを有する水素水装置。
【請求項４】
前記電解ユニットが、さらに、第３の電解ユニットを含み、前記第３の電解ユニットは電極式の電解ユニットであることを特徴とする請求項３に記載の多重モードを有する水素水装置。
【請求項５】
前記第１の電解ユニットが薄膜式の電解ユニットである場合、前記第１の電解ユニットは、酸性水エリアとアルカリ水エリアとにさらに接続され、前記制御ユニットの制御によって、電解反応した後水素を含有する水が前記アルカリ水エリアに流れ込むか、酸素を含有する水が前記酸性水エリアに流れ込むことを特徴とする請求項３または４に記載の多重モードを有する水素水装置。
【請求項６】
さらに、前記処理ユニットに電気的に接続された加熱ユニットを含み、前記加熱ユニットで前記電解ユニットに流入した水を加熱しさらに電解反応を行うことによって、電解反応の効率を高めることを特徴とする請求項１〜４のいずれか一項に記載の多重モードを有する水素水装置。
【請求項７】
さらに、前記処理ユニットに電気的に接続された保護ユニットを含み、前記多重モードを有する水素水装置が破損することを避けることを特徴とする請求項１〜４のいずれか一項に記載の多重モードを有する水素水装置。
【請求項８】
さらに、前記取水口と前記電解ユニットとの間に設けられた濾過ユニットを含み、流入した水が濾過を経てから前記電解ユニットに流れ込んで電解反応を行うことを特徴とする請求項１〜４のいずれか一項に記載の多重モードを有する水素水装置。
【請求項９】
さらに、電解反応で発生した水素の水における時間を向上するため、前記電解ユニットに鉱物ビレットを添加することを特徴とする請求項１〜４のいずれか一項に記載の多重モードを有する水素水装置。
【請求項１０】
前記鉱物ビレットが、マグネシウム、亜鉛、またはこれらの両者を含むことを特徴とする請求項９に記載の多重モードを有する水素水装置。
【考案の詳細な説明】
【技術分野】
【０００１】
本考案は、水素水装置に関し、特に、多数の電解ユニットを有し、ユーザの要求に応じて、そのうち何れか１つの電解ユニットを選ぶとともに、電力供給ユニットの給電モードと組み合わせて電解を行うことで、ユーザの求めに応じた電解水を生成することが可能な多重モードを有する水素水装置に関する。
【背景技術】
【０００２】
近年、水素ガス（Ｈｙｄｒｏｇｅｎ）で人類の疾病を治療する医学方法が多く研究され、たくさんの医学や保健領域に効果的に利用可能で、水素ガスが持つ抗酸化能によって、炎症に対抗する効果があると実証された。
【０００３】
そのため、現在、種々の水素ガス（日本語で水素と称す）を生成可能な水素水装置が生み出されてきた。内部の電解装置によって水を電解反応して水素ガスと酸素ガスを発生し、また、電解方式によって薄膜式または電極式に区分されている。そのうち、電極式は、使用上比較的省電力で、作り出す泡も比較的細かく、薄膜式は、急速に比較的高い濃度のガスを発生することができ、操作インターフェイスを介して水素ガスのあるアルカリ水、または酸素ガスのある酸性水を選んで飲用に利用することができるため、異なる電解方式は、それぞれ優劣を持っている。
【０００４】
しかし、現在、一般に市販されている水素水装置の電解装置は、薄膜式の電解方式で電解反応を行うものか、電極式の電解方式で電解反応を行うかのどちらかであって、単一の水素水装置でユーザの要求を満足させる異なる電解水を生成することができない。
【０００５】
本考案の創作者は、長年に亘って研究や思案に専念し、従来技術の欠点について改善し、産業上の実施利用を向上させることを図って、多重モードを有する水素水装置の設計に至った。
【考案の概要】
【考案が解決しようとする課題】
【０００６】
本考案は、主な目的として、複数の電解ユニットを有し、これらの電解ユニットは、薄膜式の電解ユニットであってよいし、電極式の電解ユニットであってもよく、さらに、電力供給ユニットの給電モードと組み合わせることで、ユーザが、単一の水素水装置によってその異なる訴えに応じる電解水を生成することが可能な多重モードを有する水素水装置を提供することにある。
【課題を解決するための手段】
【０００７】
前記目的を達成するため、本考案に係る多重モードを有する水素水装置は、処理ユニットと、前記処理ユニットに電気的に接続され、水を電解反応して水素と酸素を発生させる複数の電解ユニットと、前記処理ユニットに電気的に接続され、前記電解ユニットが必要な電力を供給する電力供給ユニットと、前記電解ユニットの一端に接続され、前記電解ユニットに水を流入させる取水口と、前記電解ユニットの他端に接続され、水素または酸素を含有する水を流出させる吐水口と、前記処理ユニットに電気的に接続されている制御ユニットであって、ユーザが、前記制御ユニットで前記処理ユニットに制御信号を送信し、前記処理ユニットが前記制御信号によって前記電解ユニットの作動を制御するように構成された制御ユニットと、を含む。
【０００８】
上記の多重モードを有する水素水装置は、前記電力供給ユニットが、切り替えスイッチにさらに接続され、前記制御ユニットが前記切り替えスイッチを制御することによって、ＡＣ／ＤＣ給電モード間の切り替えを行う。
【０００９】
上記の多重モードを有する水素水装置は、前記電解ユニットが、さらに、第１の電解ユニットと第２の電解ユニットとを含み、前記第１の電解ユニットは薄膜式の電解ユニットで、前記第２の電解ユニットは電極式の電解ユニットである。
【００１０】
上記の多重モードを有する水素水装置は、前記電解ユニットが、さらに、第３の電解ユニットを含み、前記第３の電解ユニットは電極式の電解ユニットである。
【００１１】
上記の多重モードを有する水素水装置は、前記第１の電解ユニットが薄膜式の電解ユニットである場合、前記第１の電解ユニットは、酸性水エリアとアルカリ水エリアとにさらに接続され、前記制御ユニットの制御によって、電解反応した後水素を含有する水が前記アルカリ水エリアに流れ込むか、酸素を含有する水が前記酸性水エリアに流れ込む。
【００１２】
上記の多重モードを有する水素水装置は、さらに、前記処理ユニットに電気的に接続された加熱ユニットを含み、前記加熱ユニットで前記電解ユニットに流入した水を加熱しさらに電解反応を行うことによって、電解反応の効率を高める。
【００１３】
上記の多重モードを有する水素水装置は、さらに、前記処理ユニットに電気的に接続された保護ユニットを含み、前記多重モードを有する水素水装置が損害されることを避ける。
【００１４】
上記の多重モードを有する水素水装置は、さらに、前記取水口と前記電解ユニットとの間に設けられた濾過ユニットを含み、流入した水が濾過を経てから前記電解ユニットに流れ込んで電解反応を行うことになる。
【００１５】
上記の多重モードを有する水素水装置は、さらに、電解反応で発生した水素の水における時間を向上するため、前記電解ユニットに鉱物ビレットを添加してもよい。
【００１６】
上記の多重モードを有する水素水装置は、前記鉱物ビレットが、マグネシウム、亜鉛、または両者とも含む。
【００１７】
上述したように、本考案は、空間形態上で確かに革新に属するだけではなく、従来物品よりも前記複数の効果を増進することができ、新規性及び進歩性の法定の実用新案登録要件を十分に満たしているはずである。そこで、法律に基づいて出願する。
【図面の簡単な説明】
【００１８】
【図１】本考案に係る多重モードを有する水素水装置を示すブロック図である。
【図２】本考案に係る多重モードを有する水素水装置の第１実施例を示す図である。
【図３】本考案に係る多重モードを有する水素水装置の第２実施例を示す図である。
【考案を実施するための形態】
【００１９】
図１ないし図３を参照する。
本考案に係る多重モードを有する水素水装置１０は、処理ユニット１１と、処理ユニット１１に電気的に接続され、水を電解反応して水素と酸素を発生させる複数の電解ユニット１２と、処理ユニットに電気的に接続され、これらの電解ユニットが必要な電力を供給する電力供給ユニット１３と、これらの電解ユニット１２の一端に接続され、これらの電解ユニット１２に水を流入させる取水口１０１と、これらの電解ユニット１２の他端に接続され、水素または酸素を含有する水を流出させる吐水口１０２と、処理ユニット１１に電気的に接続されている制御ユニット１４であって、ユーザが、制御ユニット１４で処理ユニット１１に制御信号を送信し、処理ユニット１１が制御信号によって電解ユニット１２の作動を制御して、ユーザの要求に応じてその訴えに合う電解水を生成するように構成された制御ユニット１４と、を含む。
【００２０】
ここで、電力供給ユニット１３は、切り替えスイッチ（図示せず）にさらに接続され、制御ユニット１４によって切り替えスイッチを制御してＡＣ／ＤＣ給電モード間の切り替えを行うことができる。また、水素水装置１０は、加熱ユニット１５と保護ユニット１６とを個別または同時に設置してもよい。これらがともに処理ユニット１１に電気的に接続され、加熱ユニット１６でこれらの電解ユニット１２に流入した水を加熱してから電解反応を行うことによって、電解反応時の効率を高めることができる。
また、これらの電解ユニット１２内の水量が不足、電力供給ユニット１３の電力が不足、或いは電気回路がショートするなどの場合には、いずれも、保護ユニット１６（例えば、ヒューズ）の機能で、水素水装置１０が損害されないように保護することができる。或いは、取水口１０１とこれらの電解ユニット１２との間に設けられた濾過ユニット１７をさらに含み、流入した水が濾過を経てからこれらの電解ユニット１２に流れ込んで電解反応を行うようになる。
【００２１】
引き続き、図２及び図３を参照する。
水素水装置１０は、２つの電解ユニット１２（第１の電解ユニット１２１及び第２の電解ユニット１２２、または第２の電解ユニット１２２及び第３の電解ユニット１２３）を有するか、同時に３つの電解ユニット１２（第１の電解ユニット１２１、第２の電解ユニット１２２、及び第３の電解ユニット１２３）を有するかの装置であってよい。また、第１の電解ユニット１２１は、薄膜式の電解ユニットで、第２の電解ユニット１２２、第３の電解ユニット１２３は、電極式の電解ユニットである。この点を下記の実施形態で説明するが、これらに限定されるものではない。
【００２２】
［第１実施形態］
第１の電解ユニット１２１は薄膜式の電解ユニット、第２の電解ユニット１２２は電極式の電解ユニットであり、さらに、第１の電解ユニット１２１が酸性水エリア１２１１及びアルカリ水エリア１２１２に接続され、制御ユニット１４の制御によって、電解反応した後水素が含有する水がアルカリ水エリア１２１２に流れ込むか、酸素を含有する水を酸性水エリア１２１１に流れ込むかのようになる。
ユーザが水素を含有するアルカリ水または酸素を含有する酸性水を飲もうとすると、制御ユニットによって第１の電解ユニットを選んで機能し、かつ、同時に直流給電モードの電力供給ユニットと組み合わせれば、吐水口から水素のあるアルカリ水または酸素のある酸性水を流れ出させることができる。一方、ユーザが省電力でかつ生じた泡が比較的細かくなるように電解反応を行うと望む場合には、制御ユニットによって第２の電解ユニットを選んで機能すればよい。この際、直流給電モードまたは交流給電モードの電力供給ユニットと組み合わせればよい。交流給電モードの電力供給ユニットと組み合わせると、発生した水素水のうちの水素の保持された時間が増加し、比較的に散りにくくなる。
【００２３】
［第２実施形態］
第１の電解ユニット１２１が薄膜式の電解ユニット、第２の電解ユニット１２２が電極式の電解ユニット、かつ第３の電解ユニット１２３が電極式の電解ユニットである場合、第１の電解ユニット１２１は、直流給電モードで電解を行い、水素のあるアルカリ水または酸素のある酸性水を生成し、第２の電解ユニット１２２及び第３の電解ユニット１２３は、ともに電極式の電解ユニットであるため、それぞれが異なる給電モード（一方が直流、他方が交流）によって電解を行い、両者は、ともに省電力でかつ生じた泡が比較的細かくなるように電解反応を行うことができる。また、交流給電モードと組み合わせれば、発生した水素水のうちの水素の保持された時間が増加し、比較的に散りにくくなる。
【００２４】
［第３実施形態］
多重モードを有する水素水装置１０が、第２の電解ユニット１２２及び第３の電解ユニット１２３のみを有する場合、第２の電解ユニット１２２及び第３の電解ユニット１２３は、ともに電極式の電解ユニットであるため、それぞれが異なる給電モード（一方が直流、他方が交流）によって電解を行い、両者は、ともに省電力でかつ生じた泡が比較的細かくなるように電解反応を行うことができる。ここで、交流給電モードと組み合わせるのは、発生した水素水のうちの水素の保持された時間が増加し、比較的に散りにくくなる。
【００２５】
最後に、ユーザは、さらに、電解反応で発生した水素の水における時間を向上するため、これらの電解ユニット１２に鉱物ビレット（図示せず）を添加してもよい。ここで、鉱物ビレットは、マグネシウム、亜鉛、または両者を含む。
【００２６】
本考案は、複数の電解ユニットを有し、これらの電解ユニットは、薄膜式の電解ユニットであってよいし、電極式の電解ユニットであってもよく、さらに、電力供給ユニットの給電モードと組み合わせることで、ユーザが、単一の水素水装置によってその異なる求めに応じる電解水を生成することが可能な多重モードを有する水素水装置を提供した。
【００２７】
以上に説明したのは、本考案の好ましい実施例にすぎず、本考案の請求範囲を限定するものではなく、いずれの本考案の明細書及び図面内容を運用して実施した等価な構造変形は、本考案の範囲内に含まれるものであることは言うまでもない。
【符号の説明】
【００２８】
１０      多重モードを有する水素水装置
１０１    取水口
１０２    吐水口
１１      処理ユニット
１２      電解ユニット
１２１    第１の電解ユニット
１２１１  酸性水エリア
１２１２  アルカリ水エリア
１２２    第２の電解ユニット
１２３    第３の電解ユニット
１３      電力供給ユニット
１４      制御ユニット
１５      加熱ユニット
１６      保護ユニット
１７      濾過ユニット
【図１】
0003205935.tif 000003
【図２】
0003205935.tif 000004
【図３】
0003205935.tif 000005